(57)【特許請求の範囲】
【請求項１】
保持機構部から送話者の口元に延出する長さを有する中空状のマイクアーム部と、
上記マイクアーム部の先端部に開口した受音開口部と、
上記マイクアーム部の上記保持機構部側に配置するようにしたマイクユニットと、
上記マイクアーム部の一部に設けた通気孔と、
上記通気孔を塞ぐ通気抵抗部材と
から構成したマイクロホン。
【請求項２】
請求項１記載のマイクロホンにおいて、
上記マイクアーム部を、可撓性を有する弾性部材から構成したマイクロホン。
【請求項３】
請求項１記載のマイクロホンにおいて、
上記通気抵抗部材が不織布であるマイクロホン。
【請求項４】
請求項１記載のマイクロホンにおいて、
上記マイクロホンは接話用パイプマイクであり、
上記保持機構部はイヤホン本体部であり、
上記接話用パイプマイクと上記イヤホン本体部とは一体化されているマイクロホン。
【請求項５】
請求項１記載のマイクロホンにおいて、
上記マイクロホンは接話用パイプマイクであり、
上記保持機構部はヘッドバンドを有するヘッドホンハウジングであり、
上記接話用パイプマイクと上記ヘッドホンハウジングとは一体化されているマイクロホン。
【請求項６】
請求項１記載のマイクロホンにおいて、
上記受音開口部には、スポンジ部材からなるウィンドスクリーンが挿着されているマイクロホン。
【請求項７】
請求項１記載のマイクロホンにおいて、
上記保持機構部は、使用者の耳に固定させるための耳掛け部を有するマイクロホン。
【請求項８】
請求項７記載のマイクロホンにおいて、
上記耳掛け部は、環状で伸縮可能であるマイクロホン。
【請求項９】
請求項１記載のマイクロホンにおいて、
上記保持機構部は、使用者の耳に固定させるための耳掛け片及びネックバンドを有するマイクロホン。
【発明の詳細な説明】
【０００１】
【発明の属する技術分野】
本発明は、接話用パイプマイクのマイクロホンに関し、詳しくは、マイクアームの先端部に受音開口部を開口し、マイクユニットをマイクアームの取付け基部側に設けるようにしたことによって、軽量、小型化を可能にすると共に、音響特性が向上できるようにしたものである。
【０００２】
【従来の技術】
従来のこの種、接話用パイプマイクのマイクロホンは種々のものが提案されている。通常、接話用パイプマイクはヘッドバンド等の保持機構部によって送話者の頭部に保持され、保持機構部から送話者の口元に伸びるマイクアームの先端部に受音部であるマイクユニットが配置されている。
【０００３】
【発明が解決しようとする課題】
しかしながら、上述した接話用パイプマイクは、マイクユニットから引き出されたケーブルをマイクアーム内を配線し保持機構部と接続する必要があることから、マイクアーム内を配線されるケーブルのシールド対策や、あるいはケーブルの断線に対する屈曲耐久性の点でマイクアームの信頼性が得られにくいといった問題がある。
【０００４】
また、マイクユニットとマイクアームの重量を支えるため、マイクアーム自体や保持機構部を強固にする必要があり、このため、パイプマイク全体が重量の増大と共に大型化することとなり、軽量、小型化を図る点で限界があった。
【０００５】
本発明は、上述したような課題を解消するためになされたもので、マイクアームの信頼性が向上し軽量、小型化を可能にすると共に、音響特性のよい接話用パイプマイクからなるマイクロホンを得ることを目的とする。
【０００６】
【課題を解決するための手段】
上述の目的を達成するため、本発明によるマイクロホンは、保持機構部から送話者の口元に延出した中空状のマイクアーム部と、マイクアーム部の先端部に開口した受音開口部と、マイクアーム部の保持機構部側に配置したマイクユニットと、マイクアーム部の一部に設けた通気孔と、通気孔を塞ぐ通気抵抗部材とから構成したものである。
【０００７】
このように構成したマイクロホンによれば、マイクアーム部の先端部の受音開口部から入った音声は、中空状のマイクアーム部内を導かれて保持機構部側のマイクユニットに入力される。従って、マイクアーム部内にはケーブルが配線されることもないため、ケーブルのシールド対策やマイクアーム部の屈曲耐久性の点で考慮する必要もなく信頼性の高いマイクロホンとなる。
【０００８】
【発明の実施の形態】
以下、本発明によるマイクロホンの実施の形態を接話用パイプマイクがイヤホンに一体化された例をとって図面を参照して説明する。
【０００９】
図１はイヤホン一体の接話用パイプマイクの全体の外観斜視図、図２は図１のＡ−Ａ線拡大断面図、図３は使用状態の外観図である。
【００１０】
マイク本体部１には中空状（直管チューブ状）のマイクアーム２が挿着され、アーム基端部に形成したフランジ部２ａが嵌合されるようにして結合されている。このマイクアーム２は可撓性を有する例えば、軟質のゴム材や樹脂材等の形状復元性の弾性部材から製作され、一例としてマイクアーム２は約１００ｍｍの長さに設定されている。尚、マイクアーム２は短くし過ぎるとＳ／Ｎ比が悪くなるので所定以上の長さに設定されている。
【００１１】
一方、マイクアーム２の先端部は閉塞されているが、先端部近傍の周面に複数の受音開口部３が開口され、受音開口部３から送話者の音声がマイクアーム２内に導かれる。この受音開口部３には例えば、スポンジ部材からなるウィンドスクリーン４で挿着されている。ウィンドスクリーン４は無くてもよいが、受音開口部３が風による雑音が生じる場合にはウィンドスクリーン４を挿着することによって風の影響を無くすことができる。
【００１２】
ここで、接話用パイプマイクのマイクユニット５はマイク本体部１内にその後端部から受音部をマイクアーム２側に向けて収納され、マイク本体部１は通気のための孔６ａを有するキャップ６で閉止されている。すなわち、受音開口部３からマイクアーム２内に導かれた音声は、マイクアーム２内を通ってマイクユニット５に入力されるようになっている。
【００１３】
また、マイクアーム２のマイク本体部１側には複数の通気孔７が形成され、この通気孔７に通気抵抗部材である例えば不織布８で覆うようにされ、この不織布８の上から通気孔７と連通するようにマイク本体部１に窓孔９が形成されている。
【００１４】
上述した接話用パイプマイクは、マイク本体部１がイヤホン本体部１０に一体化され、いわゆるイヤセットを構成している。イヤホン本体部１０内にはスピーカユニット１１が内蔵され、イヤホン本体部１０にイヤパッド１２を備えている。尚、マイクユニット５及びスピーカユニット１１からのそれぞれの配線は、コード１３を介して引き出されプラグ１４に接続されている。
【００１５】
このように構成したイヤセットは、イヤホンのイヤパッド１２が送話者の耳に挿着されることで、接話用パイプマイクのマイクアーム２の先端部に設けられている受音開口部３を覆っているウィンドスクリーン４が送話者の口元に位置させることができる。すなわち、ウィンドスクリーン４を通過して受音開口部３からマイクアーム２内に導かれた音声は、マイクアーム２内を通ってマイク本体部１内に収納されているマイクユニット５に音声信号として入力される。
【００１６】
ここで、マイクアーム２はその内部を移動する音声によって、マイクアーム２自体に高い共振周波数Ｑが発生し、音響特性が低下することが知られている。例えば、マイクアーム２に上述したような通気孔７に通気抵抗部材としての不織布８を設けていない場合では、図４ａに示した音響特性から明らかなようにマイクアーム２の共振により複数の高いピークが規則的に現れる。
【００１７】
これに対して、図２に示した本発明のようにマイクアーム２に通気孔７を開け、この通気孔７に通気抵抗部材としての不織布８を設けることによって、マイクアーム２の共振周波数Ｑを下げることができるようになり、このときの音響特性を図４ｂに示す。
【００１８】
これによれば、図４ｂに示した音響特性では感度的に若干低下するが、中高域で適度な明瞭度を出すことができる。明瞭度は通常、音声を１．５KHz 〜５．０KHz の周波数の音を数ｄＢ高く設定することで増すことができ、これによって、本発明のように構成したマイクアーム２を使用することによって理想的な音響特性を実現することができる。
【００１９】
通気抵抗部材としての不織布８は、マイクアーム２に開けた通気孔７の内側から貼り付けて固定するようにしても上述の場合と同様な作用を得ることができる。また、適度な通気抵抗を有するものであれば不織布８以外の素材を使用することであってもよい。
【００２０】
また、マイクアーム２は可撓性を有するゴム材や樹脂材等の弾性部材から製作し、マイクアーム２の先端部に受音開口部３を設けただけの構成であるので、マイクアーム２自体の自重が軽量化でき、従って、マイクアーム２を支える機構も簡略化できることから接話用パイプマイク全体の軽量化と共に小型化を可能にすることができる。
【００２１】
しかも、マイクアーム２に手等が触れたときに屈曲変形し、その後、再び元の位置に復元するのでマイクアーム２の取扱いに便利であると共に、マイクアーム２に手等が触れたときの接触音がマイクユニット５に衝撃音となって伝わることもない。
【００２２】
また、マイクユニット５がマイクアーム２の基端部であるマイク本体部１内に配設されていることから、従来のようなマイクアーム２内をケーブルが配線されることもなく、従って、ケーブルのシールド対策も不要となり信頼性の高い接話用パイプマイクとなる。
【００２３】
本発明の接話用パイプマイクはイヤホンに一体化されたもの以外、図５に示すようにヘッドバンド１５を有するヘッドホンハウジング１６に一体化された、いわゆるヘッドセットにして使用することができる。この場合、マイクユニット５はヘッドホンハウジング１６内に内蔵されている。
【００２４】
また、図６に示すようにマイク本体部１に環状の伸縮可能の耳掛け部１７を設け、この耳掛け部１７を送話者の耳に固定するようにした、いわゆる耳掛けマイクとして使用することができる。
【００２５】
また、図７に示すようにマイク本体部１に耳掛け片１８と共にネックバンド１９を備えた、いわゆるネックバンドマイクとして使用することもできる。
【００２６】
本発明は上述しかつ図面に示した実施の形態の例に限定されるものでなく、その要旨を逸脱しない範囲内で種々の変形実施が可能である。
【００２７】
マイクアーム２は直管チューブ状にされた場合について説明したが、接話用パイプマイクの使用状態においてマイクアーム２の先端部の受音開口部３が送話者の口元に近づくように曲管状にすることであってもよい。
【００２８】
【発明の効果】
以上説明したように本発明によるマイクロホンは、中空状のマイクアーム部の先端部に受音開口部を開口し、マイクアーム部の保持機構部側にマイクユニットを配置したので、マイクアーム自体の自重が軽量化でき、マイクアームを支える機構も簡略化できることからマイク全体の軽量化と共に小型化を図ることができる。しかも、マイクユニットがマイクアームの基端部である保持機構部内に配設されていることから、従来のようなマイクアーム内をケーブルが配線されることもなく、ケーブルのシールド対策も不要となり接話用パイプマイクに使用して信頼性の高いマイクロホンとなる。
【００２９】
また、マイクアーム部を可撓性を有する弾性部材から構成したことことで、マイクアームに手を触れたときに屈曲変形し、再び元の位置に復元するのでマイクアームの取扱いに便利である。
【００３０】
また、マイクアーム部の一部に通気孔と、この通気孔に通気抵抗部材を設けたことで、マイクアームの共振周波数を下げることができ、明瞭度の高い理想的な音響特性を実現することができる。
【００３１】
また、接話用パイプマイクをイヤホンあるいはヘッドホンに一体化できるようにしたことで、接話用パイプマイクの商品性を向上することができる。
【図面の簡単な説明】
【図１】本発明による接話用パイプマイクをイヤホンと一体化したイヤセットの斜視図である。
【図２】図１のＡ−Ａ線拡大断面図である。
【図３】同じくイヤセットの使用状態の外観図である。
【図４】ａ  マイクアームに通気抵抗部材のない場合の音響特性図である。ｂ  マイクアームに通気抵抗部材がある場合の音響特性図である。
【図５】接話用パイプマイクをヘッドホンと一体化したヘッドセットの斜視図である。
【図６】接話用パイプマイクを耳掛けマイクにした場合の斜視図である。
【図７】接話用パイプマイクをネックバンドマイクにした場合の斜視図である。
【符号の説明】
１…マイク本体部、２…マイクアーム、３…受音開口部、４…ウィンドスクリーン、５…マイクユニット、７…通気孔、８…不織布、９…窓孔、１０…イヤホン本体部、１３…コード、１４…プラグ、１６…ヘッドホンハウジング、１７…耳掛け部、１８…耳掛け片、１９…ネックバンド
【図１】
0004192347.tif 000002
【図２】
0004192347.tif 000003
【図３】
0004192347.tif 000004
【図４】
0004192347.tif 000005
【図５】
0004192347.tif 000006
【図６】
0004192347.tif 000007
【図７】
0004192347.tif 000008